(57)【要約】      （修正有）【課題】人の活動量や歩数を計測・記録し健康管理を行う身体情報収集装置に係り、特に手首等への装着を容易にして使い勝手を向上させた身体情報収集装置を提供する。【解決手段】身体運動を検出する身体運動検出手段と身体運動検出手段を収納するケース手段とからなる身体情報収集装置において、ケース手段は身体運動検出手段を内蔵したケース中央部６０およびケース中央部６０の左右両側に延設した一対のバンド部２０，２１を具備し、バンド部のうちのいずれか一方２０はその先端部付近にマグネット１０を備えると共に、他方のバンド部２１はその先端部付近に磁性体３０を備え、両者を磁着させたことを特徴とする。【選択図】図２
0003187026.tif 000002
【実用新案登録請求の範囲】
【請求項１】
身体運動を検出する身体運動検出手段と該身体運動検出手段を収納するケース手段とからなる身体情報収集装置において、前記ケース手段は前記身体運動検出手段を内蔵したケース中央部および該ケース中央部の左右両側に延設した一対のバンド部を具備し、該バンド部のうちのいずれか一方はその先端部付近にマグネットを備えると共に、他方のバンド部はその先端部付近に磁性体を備え、且つ該磁性体はその表面積が前記マグネットの表面積より広く形成してあることを特徴とする身体情報収集装置。
【請求項２】
前記身体運動検出手段は、ＩＳＯ／１ＥＣ１８０９２に定められた技術基準に基づく近距離通信機能またはブルートゥースバージョン４．０に準拠した小電力通信機能の何れかを備えたことを特徴とする請求項１に記載の身体情報収集装置。
【考案の詳細な説明】
【技術分野】
【０００１】
本考案は人の活動量や歩数を計測・記録し健康管理を行う身体情報収集装置に係り、特に手首等への装着を容易にして使い勝手を向上させた身体情報収集装置に関する。
【背景技術】
【０００２】
健康増進や肥満予防のため、日常の活動量や歩数を計測・記録する活動量計が実用化され、多くの人が日常生活の中に取り入れている。しかし効果を上げるためには、日々の歩数や消費エネルギを継続的に把握することが必要であり、このため常時このような活動量計を身につけている必要がある。例えば時計のように手首に装着する活動量計は、習慣的かつ日常的にこれを保持する上で有力なツールである。
【考案の概要】
【考案が解決しようとする課題】
【０００３】
しかし活動量計を手首に装着するため時計バンドのように尾錠と呼ばれる止め金具を備えると装着に手間と時間を要すると共に、手首にフィットさせるため煩雑な止め位置の微調整も必要となる。さらに尾錠の金属構造は重量を増加させ携帯性を低下させるという問題点がある。
【０００４】
そこで、本考案は上記した従来の身体情報収集装置の問題点を改良して、簡便かつ安定した状態で手首に装着可能な身体情報収集装置を提供することを目的とするものである。
【課題を解決するための手段】
【０００５】
上記課題を解決するため本考案に係る身体情報収集装置は下記記載の構成を採用する。
【０００６】
すなわち、請求項１に係る考案は、身体運動を検出する身体運動検出手段と該身体運動検出手段を収納するケース手段とからなる身体情報収集装置において、前記ケース手段は前記身体運動検出手段を内蔵したケース中央部および該ケース中央部の左右両側に延設した一対のバンド部を具備し、該バンド部のうちのいずれか一方はその先端部付近にマグネットを備えると共に、他方のバンド部はその先端部付近に磁性体を備え、且つ該磁性体はその表面積が前記マグネットの表面積より広く形成してあることを特徴とする身体情報収集装置である。
【０００７】
また、請求項２に係る考案は、前記身体運動検出手段は、ＩＳＯ／１ＥＣ１８０９２に定められた技術基準に基づく近距離通信機能またはブルートゥースバージョン４．０に準拠した小電力通信機能の何れかを備えたことを特徴とする請求項１に記載の身体情報収集装置である。
【考案の効果】
【０００８】
上述のように、本考案に係る身体情報収集装置によれば、一方のバンド部のマグネットと他方のバンド部の磁性体とが任意の位置で磁力によって固定保持されることとなるので手首に対する装着を速やか且つ簡便に行なうことができると共に、様々な太さの手首に巻き付けることが可能となる。
【図面の簡単な説明】
【０００９】
【図１】本考案に係る身体情報収集装置の一実施形態を示す斜視図である。
【図２】本考案に係る身体情報収集装置における一対のバンド部が開閉する状態を示す平面図である。
【図３】本考案に係る身体情報収集装置の内部の構造を示す説明図である。
【図４】本考案に係る身体情報収集装置の動作を示す説明図である。
【考案を実施するための形態】
【００１０】
以下、図１から図４を用いて本考案に係る身体情報収集装置の具体的構成を説明する。なお、図１は本考案の身体情報収集装置の斜視図であり、図２（１）は一対のバンド部が開いた状態を示す平面図であり、図２（２）は一対のバンド部が閉じた状態を示す平面図である。また、図３は内部構造を示す説明図であり、図４は異なる太さの手首に巻き付ける際の動作を示す説明図である。
【００１１】
図１に示すように、身体情報収集装置１はシリコンゴムなどのエラストマー材を用いて細長いストラップ状に形成されるもので、中央に位置するケース中央部６０の左右両側に一対のバンド部２０およびバンド部２１とを延設してある。バンド部２０およびバンド部２１はケース中央部６０より幅も厚みも小さく形成され、自由に曲げることが可能である。バンド部２０とバンド部２１には図示していないがマグネットと鉄板などからなる磁性体を設けてあり、バンド部２０とバンド部２１とは磁力線の届く範囲内において双方の間に働く磁力によって固定保持され、手首等に装着可能なリングを形成する。
【００１２】
図２（１）において、マグネット１０はネオジム磁石やサマリウムコバルト磁石などの希土類磁石あるいはフェライト磁石などで形成され、バンド部２０の先端部付近に内蔵されている。他方のバンド部２１の先端部付近には、形状がマグネット１０より幅が広くかつ長い磁性体３０が内蔵されている。
【００１３】
磁性体３０は図示の実施例では汎用の鉄板を用いているが、他の強磁性体に換えてもよい。また、図示の実施形態においては、マグネット１０および磁性体３０はそれぞれバンド部２０およびバンド部２１の先端部付近に内蔵したが、これらマグネット１０および磁性体３０はバンド部２０およびバンド部２１の先端部付近表面に接着あるいは粘着など任意の取付手段で設けるようにしてもよい。
【００１４】
図２（２）に示すように、バンド部２０とバンド部２１とが接触すると、マグネット１０と磁性体３０間に作用する磁力でバンド部２０とバンド部２１とが磁着し保持固定される。
【００１５】
磁性体３０の磁着面となる表面積はマグネット１０の表面積より広く形成してあるのでバンド部２０とバンド部２１との横方向の位置が多少移動しても保持固定に支障はなく、また磁性体３０の形状はマグネット１０より長いのでバンド部２０とバンド部２１との長さ方向の位置をずらしても保持固定に支障はない。すなわち、リング状の身体情報収集装置１の径を自由に選択できるので、手首が太い人も細い人も、自由に手首に装着できる。
【００１６】
図３に示すように、本考案における身体情報収集装置１のケース中央部６０には電装モジュール４０と電池５０とが備えられている。電装モジュール４０は、特に図示していないが人の動きを捕捉する三次元の加速度センサとマイコンとＩＳＯ／１ＥＣ１８０９２に定められた技術基準に基づく近距離通信機能またはブルートゥースバージョン４．０に準拠した小電力通信機能の何れかを用いた通信回路とを備えている。
【００１７】
電池５０は実施例ではコイン型リチウム電池であり、電装モジュール４０を駆動する電圧を確保するため、本考案の身体情報収集装置１においては、２個のボタン型電池を直列に接続して用いている。なお電池５０として、リチウム二次電池を用いることも可能であって、本考案の範囲内であることはいうまでもない。
【００１８】
図４を用いて本考案の身体情報収集装置１の動作を説明する。
図４（１）、図４（２）は太さの異なる手首に身体情報収集装置１を巻いた際の身体情報収集装置１の動作を示す説明図であり、両図とも手首は表示していない。
【００１９】
図４（１）に示すように、身体情報収集装置１を細い手首に巻いた場合には、バンド部２０はバンド部２１のケース中央部６０側に移動し、バンド部２０とバンド部２１とは小さい径を形成し、マグネット１０と磁性体３０との磁力で保持固定される。また図４（２）に示すように身体情報収集装置１を太い手首に巻いた場合にはバンド部２０はバンド部２１とは大きい径で保持固定される。
【００２０】
何れの場合も磁性体３０がマグネット１０の幅より広くかつ長い形状を有しており、バンド部２０とバンド部２１との重なり合い位置を自由に選べるので、様々な太さの手首に巻き付けること可能となり、しかも手首への装着が速く簡単になる。
【００２１】
また、本考案の身体情報収集装置はＩＳＯ／１ＥＣ１８０９２に定められた技術基準に基づく近距離通信機能またはブルートゥースバージョン４．０に準拠した小電力通信機能の何れかを備え、パソコンや情報端末へのデータのアップロードが容易になるので、極めて使いやすい身体情報収集装置が実現する。
【符号の説明】
【００２２】
１：身体情報収集装置
１０：マグネット
２０：バンド部
２１：バンド部
３０：磁性体
４０：電装モジュール
５０：電池
６０：ケース中央部
【図１】
0003187026.tif 000003
【図２】
0003187026.tif 000004
【図３】
0003187026.tif 000005
【図４】
0003187026.tif 000006